(57)【要約】【課題】  無線通信路を介して無線基地局と通信を行う移動端末装置がハンドオーバを行なう際に、複数の無線基地局との通信に用いる無線周波数が異なる場合にも、移動先探索に要する時間を短縮する。【解決手段】  無線基地局は、自局に対して隣接する無線基地局が使用する無線周波数に関する情報を隣接無線基地局システム情報として移動端末装置へ向けて報知する。移動端末装置はこの隣接無線基地局システム情報を受信して、そこに示された無線周波数のみを監視対象とする。これにより、移動端末装置は移動先探索に要する時間を短縮でき、よって移動端末装置の消費電力を抑制することができる。【選択図】      図９                                                  
2005094806.tif 000002
【特許請求の範囲】
【請求項１】
複数の無線基地局と、前記複数の無線基地局に含まれる第１の無線基地局と無線リンクで接続されネットワーク層プロトコルにより一意の宛先に届けられるパケット通信を行う移動端末装置とを備えた無線移動通信システムにおける無線基地局であって、前記第１の無線基地局は、前記複数の無線基地局の内、前記第１の無線基地局とセル範囲の隣接している無線基地局が使用する無線種別に関する情報を隣接無線基地局システム情報として、定期的に報知することを特徴とする無線基地局。
【請求項２】
複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動端末装置であって、前記移動端末装置は、前記第１の無線基地局とセル範囲の隣接している無線基地局が使用する無線種別に関する情報を隣接無線基地局システム情報として受信し、前記隣接無線基地局システム情報により指示された無線基地局を、移動先無線基地局の候補として探索対象とすることを特徴とする移動端末装置。
【請求項３】
複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動通信方法であって、前記無線移動端末装置が、その接続する無線基地局を前記複数の無線基地局に含まれる第２の無線基地局へ変更することであるハンドオーバを実現するために、前記第１の無線基地局は、前記複数の無線基地局の内、前記第１の無線基地局とセル範囲の隣接している無線基地局が使用する無線種別に関する情報を隣接無線基地局システム情報として、定期的に報知し、前記移動端末装置は、通常は１つの無線システムのみを有効にして通信を行い、前記第１の無線基地局より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする無線移動通信方法。
【請求項４】
複数の無線基地局と、前記複数の無線基地局に含まれる第１の無線基地局と無線リンクで接続されてネットワーク層プロトコルにより一意の宛先に届けられるパケット通信を行う複数種類の無線インタフェースを装備する移動端末装置とを備えた無線移動通信システムにおける移動通信方法であって、前記無線移動端末装置が、その接続する無線基地局を前記複数の無線基地局に含まれる第２の無線基地局へ変更することであるハンドオーバを実現するために、装備する無線インタフェース、または自らの現在位置に関する情報、または装備する無線インタフェースの種類と自らの現在位置に関する情報との組み合わせを前記無線リソース管理装置に通知し、前記第１の無線基地局は、前記複数の無線基地局の内、前記第１の無線基地局とセル範囲の隣接している無線基地局が使用する無線種別に関する情報を隣接無線基地局システム情報として、前記移動端末装置に送信し、前記移動端末装置は、通常は１つの無線システムのみを有効にして通信を行い、前記第１の無線基地局より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする無線移動通信方法。
【請求項５】
複数の無線基地局と、前記複数の無線基地局に含まれる第１の無線基地局と無線リンクで接続される移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける無線リソース管理装置であって、前記無線リソース管理装置は、前記複数の無線基地局の内、前記第１の無線基地局とセル範囲の隣接している無線基地局が使用する無線種別に関する情報を隣接無線基地局システム情報として、定期的に報知することを特徴とする無線リソース管理装置。
【請求項６】
複数の無線基地局と、前記複数の無線基地局に含まれる第１の無線基地局と無線リンクで接続されてネットワーク層プロトコルにより一意の宛先に届けられるパケット通信を行う複数種類の無線インタフェースを装備する移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける移動通信方法であって、前記無線移動端末装置が、その接続する無線基地局を前記複数の無線基地局に含まれる第２の無線基地局へ変更することであるハンドオーバを実現するために、前記無線リソース管理装置は、前記第１の無線基地局と範囲の隣接している無線基地局が使用する無線種別に関する情報を隣接無線基地局システム情報として、定期的に報知し、前記移動端末装置は、通常は１つの無線システムのみを有効にして通信を行い、前記無線リソース管理装置より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする無線移動通信方法。
【請求項７】
複数の無線基地局と、前記複数の無線基地局に含まれる第１の無線基地局と無線リンクで接続されてネットワーク層プロトコルにより一意の宛先に届けられるパケット通信を行う複数種類の無線インタフェースを装備する移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける移動通信方法であって、前記無線移動端末装置が、その接続する無線基地局を前記複数の無線基地局に含まれる第２の無線基地局へ変更することであるハンドオーバを実現するために、装備する無線インタフェース、または自らの現在位置に関する情報、または装備する無線インタフェースの種類と自らの現在位置に関する情報との組み合わせを前記無線リソース管理装置に通知し、前記無線リソース管理装置は、前記第１の無線基地局と範囲の隣接している無線基地局が使用する無線種別に関する情報を隣接無線基地局システム情報として、前記移動端末装置に送信し、前記移動端末装置は、通常は１つの無線システムのみを有効にして通信を行い、前記無線リソース管理装置より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする無線移動通信方法。
【請求項８】
請求項１に記載の無線基地局であって、前記無線システム情報として通知される内容は、無線通信方式、無線周波数、スクランブルコード、の少なくとも一つであることを特徴とする無線基地局。
【請求項９】
請求項２に記載の移動端末装置であって、前記無線システム情報として通知される内容は、無線通信方式、無線周波数、スクランブルコードの少なくとも一つであることを特徴とする移動端末装置。
【請求項１０】
請求項５に記載の無線リソース管理装置であって、前記無線システム情報として通知される内容は、無線通信方式、無線周波数、スクランブルコードの少なくとも一つであることを特徴とする無線リソース管理装置。
【請求項１１】
請求項３，４，６，７のいずれかに記載の無線移動通信方法であって、前記無線システム情報として通知される内容は、無線通信方式、無線周波数、スクランブルコード、の少なくとも一つであることを特徴とする無線移動通信方法。
【請求項１２】
複数の無線基地局と、前記複数の無線基地局に含まれる第１の無線基地局と無線リンクで接続されネットワーク層プロトコルにより一意の宛先に届けられるパケット通信を行う移動端末装置とを備えた無線移動通信システムにおける前記第１の無線基地局の動作をコンピュータにより実行させるためのプログラムであって、前記複数の無線基地局の内、自局とセル範囲の隣接している無線基地局が使用する無線種別に関する情報を隣接無線基地局システム情報として、定期的に報知する処理を含むことを特徴とするコンピュータ読取り可能なプログラム。
【請求項１３】
複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動端末装置の動作をコンピュータにより実行させるためのプログラムであって、前記第１の無線基地局とセル範囲の隣接している無線基地局が使用する無線種別に関する情報を隣接無線基地局システム情報として受信し、前記隣接無線基地局システム情報により指示された無線基地局を、移動先無線基地局の候補として探索対象とする処理を含むことを特徴とするコンピュータ読取り可能なプログラム。
【発明の詳細な説明】
【技術分野】
【０００１】
本発明は無線移動通信方法及び無線基地局並びに無線リソース管理装置及び移動端末装置並びにプログラムに関し、特に通信を行う無線基地局を変更する移動端末装置に対して高速なハンドオーバを行うことができる移動通信方式に関するものである。
【背景技術】
【０００２】
移動通信方式では、移動端末装置に対してユニキャストのパケットの到達性を保証するために、Internet Engineering Task Force （ＩＥＴＦ）において開発されたＭｏｂｉｌｅ  ＩＰの技術がある（非特許文献１参照）。このＭｏｂｉｌｅ  ＩＰでは、まず、移動端末装置はあらかじめ任意の管理ドメインの任意のリンクに属し、このリンクでアドレスを割り当てられているものとする。このとき移動端末装置が所属する管理ドメイン及びリンクをホームドメイン及びホームリンク、あらかじめ割り当てられたアドレスをホームアドレスと呼ぶ。また、ホームリンクには移動管理エージェントが配置され、これをホームエージェントと呼ぶ。
【０００３】
この移動端末装置が、ホームドメイン内の別のリンク、あるいは異なる管理ドメイン内のリンクに移動した場合、自分のホームアドレスと現在いるリンクにおいて取得した一時的なアドレス＝気付アドレスをホームエージェントへ通知する。ホームエージェントは、その移動端末装置あてのパケットが到着すると、気付アドレス宛のパケットを作成し、これに本来のパケットをカプセル化して転送する。以上の手順により移動端末装置へのユニキャストのパケットの到達性が保証される。
【０００４】
また、Ｍｏｂｉｌｅ  ＩＰにおける気付アドレスの割り当てまでに要する時間を短縮するための手段として、ＩＥＴＦで検討中のFast Handovers for Mobile IPv6(FMIP)技術がある（非特許文献２参照）。この技術では、ハンドオーバ実行前に、移動先となる管理ドメイン内で使用する新気付アドレスを現在接続している管理ドメインにある無線基地局（移動元無線基地局）へ通知する。新気付アドレスの通知を受け取った前記移動元無線基地局は、現在移動端末装置に割り当てられている気付アドレスと新しい気付アドレスとの対応を記憶する。以降、その移動端末装置宛のパケットが到着すると、新気付アドレス宛のパケットを作成し、これに本来のパケットをカプセル化して転送する。これにより、移動端末装置が移動前の無線リンクを切断した後に、前記移動端末装置へ到達すべきＩＰパケットが古い気付アドレスを宛先として移動元無線基地局に届いた場合でも、宛先不明によるパケット消失およびパケット再送のためのオーバヘッドを未然に防ぐことを可能とする。
【０００５】
【非特許文献１】Ｃ．Ｐｅｒｋｉｎｓ  （ＩＢＭ），  “ＩＰ  Ｍｏｂｉｌｉｔｙ  Ｓｕｐｐｏｒｔ“，  ＩＥＴＦ，  ｐ．８−１１（Ｓｅｃｔｉｏｎ１．７）、インターネット＜ＵＲＬ：ｈｔｔｐ：／／ｗｗｗ．ｉｅｔｆ．ｏｒｇ／ｒｆｃ／ｒｆｃ２００２．ｔｘｔ＞
【非特許文献２】Ｒａｊｅｅｖ  Ｋｏｏｄｌｉ  （Ｎｏｋｉａ  Ｒｅｓｅａｃｈ  Ｃｅｎｔｅｒ），  “Ｆａｓｔ  Ｈａｎｄｏｖｅｒｓ  ｆｏｒ  Ｍｏｂｉｌｅ  ＩＰｖ６  （ＦＭＩＰ）”，  ＩＥＴＦ，ｐ．４−９、インターネット＜ＵＲＬ：ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｍｏｂｉｌｅｉｐ−ｆａｓｔ−ｍｉｐｖ６−０５．ｔｘｔ＞
【発明の開示】
【発明が解決しようとする課題】
【０００６】
上述したように、ＦＭＩＰの技術では、ハンドオーバの実行前に移動前無線基地局へ到着したパケットを移動先無線基地局へ転送するトンネルを設定し、無線基地局でパケットの転送を行う。これにより、ＩＰパケットの消失と再送のオーバヘッドを防ぎ、Ｍｏｂｉｌｅ  ＩＰにおいて、ホームエージェントやコレスポンドノードに対してパケットの送信先を移動後の無線基地局へと変更させるための要求を通知する方式よりも、ネットワーク層（レイヤ３）レベルでのハンドオーバに要する時間を短縮することができる。
【０００７】
しかしながら、ＦＭＩＰの技術は、無線リンク層（レイヤ２）の切り替えの処理に関しては対象としていないという問題がある。このため、データ送受信を開始する前に無線チャネルを確保し仮想回線の確立を行うコネクションオリエンテッド通信では、ＦＭＩＰの技術を適用しても、無線リンクの切り替え後に発生する無線チャネルの確保手続きによるハンドオーバ時間を短縮することができない。
【０００８】
また、ＦＭＩＰの技術では、移動先となり得る基地局が複数ある場合について想定されていないという問題がある。一般的に、無線通信システムの場合には、移動先となりうる基地局が複数存在することが多い。また、各無線基地局が提供可能な無線リソース量はそれぞれ異なる。無線通信システム全体での収容効率を最大化するためには、移動端末装置が要求する無線リソース量に応じて適切な無線基地局を選択することが望ましい。
【０００９】
本発明の目的は、無線基地局との通信に利用する無線システムが複数存在する場合に、移動端末装置の通信可能な範囲にある無線基地局が使用している無線システムのみを対象とした探索を行うことで、移動先無線基地局の探索に要する時間を短縮化し、また移動端末装置の消費電力を抑制することが可能な無線移動通信方法及び無線基地局並びに無線リソース管理装置及び移動端末装置並びにプログラムを提供することである。
【課題を解決するための手段】
【００１０】
本発明による無線基地局は、複数の無線基地局と、前記複数の無線基地局に含まれる第１の無線基地局と無線リンクで接続されネットワーク層プロトコルにより一意の宛先に届けられるパケット通信を行う移動端末装置とを備えた無線移動通信システムにおける無線基地局であって、前記第１の無線基地局は、前記複数の無線基地局の内、前記第１の無線基地局とセル範囲の隣接している無線基地局が使用する無線種別に関する情報を隣接無線基地局システム情報として、定期的に報知することを特徴とする。
【００１１】
本発明による移動端末装置は、複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動端末装置であって、前記移動端末装置は、前記第１の無線基地局とセル範囲の隣接している無線基地局が使用する無線種別に関する情報を隣接無線基地局システム情報として受信し、前記隣接無線基地局システム情報により指示された無線基地局を、移動先無線基地局の候補として探索対象とすることを特徴とする。
【００１２】
本発明による無線移動通信方法は、複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動通信方法であって、前記無線移動端末装置が、その接続する無線基地局を前記複数の無線基地局に含まれる第２の無線基地局へ変更することであるハンドオーバを実現するために、前記第１の無線基地局は、前記複数の無線基地局の内、前記第１の無線基地局とセル範囲の隣接している無線基地局が使用する無線種別に関する情報を隣接無線基地局システム情報として、定期的に報知し、前記移動端末装置は、通常は１つの無線システムのみを有効にして通信を行い、前記第１の無線基地局より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする。
【００１３】
本発明による無線リソース管理装置は、複数の無線基地局と、前記複数の無線基地局に含まれる第１の無線基地局と無線リンクで接続される移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける無線リソース管理装置であって、前記無線リソース管理装置は、前記複数の無線基地局の内、前記第１の無線基地局とセル範囲の隣接している無線基地局が使用する無線種別に関する情報を隣接無線基地局システム情報として、定期的に報知することを特徴とする。
【００１４】
本発明による他の無線移動通信方法は、複数の無線基地局と、前記複数の無線基地局に含まれる第１の無線基地局と無線リンクで接続されてネットワーク層プロトコルにより一意の宛先に届けられるパケット通信を行う複数種類の無線インタフェースを装備する移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける移動通信方法であって、前記無線移動端末装置が、その接続する無線基地局を前記複数の無線基地局に含まれる第２の無線基地局へ変更することであるハンドオーバを実現するために、前記無線リソース管理装置は、前記第１の無線基地局と範囲の隣接している無線基地局が使用する無線種別に関する情報を隣接無線基地局システム情報として、定期的に報知し、前記移動端末装置は、通常は１つの無線システムのみを有効にして通信を行い、前記無線リソース管理装置より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする。
【００１５】
本発明による更に他の無線移動通信方法は、複数の無線基地局と、前記複数の無線基地局に含まれる第１の無線基地局と無線リンクで接続されてネットワーク層プロトコルにより一意の宛先に届けられるパケット通信を行う複数種類の無線インタフェースを装備する移動端末装置と、前記複数の無線基地局の無線リソースを管理する機能を有する無線リソース管理装置を備え、前記複数の無線基地局及び前記移動端末装置及び前記無線リソース管理装置はネットワーク層プロトコルにより一意の宛先に届けられるパケット通信を行う機能を有する無線移動通信システムにおける移動通信方法であって、前記無線移動端末装置が、その接続する無線基地局を前記複数の無線基地局に含まれる第２の無線基地局へ変更することであるハンドオーバを実現するために、装備する無線インタフェース、または自らの現在位置に関する情報、または装備する無線インタフェースの種類と自らの現在位置に関する情報との組み合わせを前記無線リソース管理装置に通知し、前記無線リソース管理装置は、前記第１の無線基地局と範囲の隣接している無線基地局が使用する無線種別に関する情報を隣接無線基地局システム情報として、前記移動端末装置に送信し、前記移動端末装置は、通常は１つの無線システムのみを有効にして通信を行い、前記無線リソース管理装置より送信された前記隣接無線基地局システム情報を受信すると、前記受信した隣接無線基地局システム情報により、異なる無線システムを使用している異種無線システム隣接無線基地局が存在することを検知すると、前記異種無線システム隣接無線基地局が使用している無線システムも有効にして、移動先候補無線基地局を探索することを特徴とする。
【００１６】
本発明によるプログラムは、複数の無線基地局と、前記複数の無線基地局に含まれる第１の無線基地局と無線リンクで接続されネットワーク層プロトコルにより一意の宛先に届けられるパケット通信を行う移動端末装置とを備えた無線移動通信システムにおける前記第１の無線基地局の動作をコンピュータにより実行させるためのプログラムであって、前記複数の無線基地局の内、自局とセル範囲の隣接している無線基地局が使用する無線種別に関する情報を隣接無線基地局システム情報として、定期的に報知する処理を含むことを特徴とする。
【００１７】
本発明による他のプログラムは、複数の無線基地局と、前記複数の無線基地局に含まれる第１の無線基地局と無線リンクで接続されネットワーク層プロトコルにより一意の宛先に届けられるパケット通信を行う複数種類の無線インタフェースを装備する移動端末装置とを備えた無線移動通信システムにおける移動端末装置の動作をコンピュータにより実行させるためのプログラムであって、前記第１の無線基地局とセル範囲の隣接している無線基地局が使用する無線種別に関する情報を隣接無線基地局システム情報として受信し、前記隣接無線基地局システム情報により指示された無線基地局を、移動先無線基地局の候補として探索対象とする処理を含むことを特徴とする。
【発明の効果】
【００１８】
本発明によれば、複数の無線基地局との通信に用いる無線周波数がそれぞれ異なる場合でも、無線基地局装置が、自無線基地局に対して隣接する無線基地局が使用する無線種別に関する情報を隣接無線基地局システム情報として移動端末装置に向けて報知し、移動端末装置は受信した隣接無線基地局システム情報により通知された無線周波数のみを監視対象とすることで、移動端末装置は移動先探索に要する時間を短縮することができ、かつ移動端末装置の消費電力を抑制することが出来るという効果がある。
【発明を実施するための最良の形態】
【００１９】
次に、本発明の実施の形態について詳細に説明する。最初に、無線通信システムを構成する無線基地局が独立した無線リソース管理機能を有する無線リソースの分散管理形態の場合について説明する。図１はこのような場合における無線通信システム全体の構成例を示したものである。図１の無線通信システムで、移動端末装置（ここでは、ＭＮ）１１０、無線基地局（ここでは、ＡＲ−１、ＡＲ−２、ＡＲ−３）１２１、１２２、１２３、無線伝送路１３１、１３２、有線網１４０から成る。
【００２０】
移動端末装置１１０上では、異なる通信品質（Quality of Service， QoS）要求を持つ複数の通信セッション（ここでは、第１〜第４の通信セッション）による通信が実行される。
【００２１】
以降では、「移動前無線基地局」、「移動先無線基地局」、「移動先候補無線基地局」をそれぞれ以下の意味として用いる。「移動前無線基地局」は、移動端末装置がハンドオーバを決定した時点で、移動端末装置との通信を行っている無線基地局である。また、「移動先無線基地局」は、移動端末装置のハンドオーバ実行完了後に、移動端末装置との通信を行う無線基地局である。更に、「移動先候補無線基地局」は、移動端末装置のハンドオーバ処理中に、移動先基地局の候補として選択された無線基地局（同時に複数存在しうる）。
【００２２】
図２は、図１を構成する無線基地局（ＡＲ−１）１２１の構成の第１の例を示したものである。無線基地局ＡＲ−２およびＡＲ−３も同様の構成を有する。無線基地局ＡＲ−１は、第１の送受信部２１０、第２の送受信部２２０、ハンドオーバ処理部２３０、無線基地局リソース情報記憶部２４０、無線チャネル管理部２５０、移動先無線基地局判定部２６０を備えている。
【００２３】
第１の送受信部２１０は、無線伝送路１３１に対するデータ送受信を行うための装置であり、無線伝送路の状態を監視するための受信状態監視部２１１を備えている。受信状態監視部２１１は、無線伝送路の状態が移動端末装置との通信を継続できないほど悪化したことを検知すると、ハンドオーバ処理部２３０に通知する機能を有する。
【００２４】
第２の送受信部２２０は、有線通信網１４０に対するデータ送受信を行うための装置である。ハンドオーバ処理部２３０は、Ｍｉｂｉｌｅ  ＩＰおよびＦａｓｔ  Ｍｏｂｉｌｅ  ＩＰに基づいたネットワーク層レベルのハンドオーバ処理行うために使用する。
【００２５】
無線基地局リソース情報記憶部２４０は、近隣に位置する無線基地局から通知された無線リソース情報を記憶するために使用する。移動先無線基地局判定部２６０は、移動端末装置から通知された移動端末装置の要求無線リソース量と、無線基地局リソース情報記憶部２３０に記憶されている近隣無線基地局の無線リソース情報と、無線チャネル管理部にある無線チャネル使用状態に関する情報とを用いて、移動端末装置のハンドオーバ先となる無線基地局の候補を選定するための装置である。
【００２６】
無線チャネル管理部２５０は、移動端末装置との通信を行うために使用する無線伝送路の無線チャネルを管理するための装置である。さらに、無線チャネル管理部２５０は、移動端末装置や他の無線基地局からの要求に応じて、無線チャネルの確保や開放や予約に関する処理を行う機能を有する。
【００２７】
以降では、無線基地局がハンドオーバに係るメッセージを受信したときの動作について説明する。
（１）移動先無線基地局である場合：
ａ．移動端末装置上の通信セッションがコネクションレス通信である場合；
ハンドオーバ処理部２３０は、移動元無線基地局より送信されたHandover Initia te (HI) メッセージを受信すると、移動端末装置に割り当てる新しいＩＰアドレスに関する情報を含むHandover Acknowledgment (HACK)メッセージを生成し、移動元無線基地局に向けて送信する。また、ハンドオーバ処理部２３０は、移動端末装置がハンドオーバ実行後に送信するFast Neighbor Advertisement(F-NA) メッセージを受信すると、移動端末装置に向けたパケット送信を開始するための処理を実行する。
【００２８】
ｂ．移動端末装置上の通信セッションがコネクションオリエンテッド通信である場合；
移動端末装置上の通信セッションがコネクションレス通信である場合の動作に加えて、無線チャネル管理部２５０は、移動元無線基地局が送信したリソース確保要求メッセージを受信するとリソース確保要求メッセージにより指定された無線リソースを満足できる無線チャネルの予約を行う。
【００２９】
（２）移動前無線基地局である場合：
ａ．移動端末装置上の通信セッションがコネクションレス通信である場合；
ハンドオーバ処理部２３０は、移動端末装置１１０が送信したコネクションレス通信に対する移動先基地局要請メッセージを受信すると、移動端末装置宛に届いたパケットを、移動先基地局要請メッセージで指定された移動先無線基地局に向けて転送するトンネルを生成するために、ＨＩメッセージを移動先無線基地局に向けて送信し、移動先無線基地局から送信されるＨＡＣＫメッセージを待つ。さらに、ハンドオーバ処理部２３０は、移動先無線基地局との間で通信ために使用する新しいＩＰアドレスに関する情報を含む移動先基地局広告メッセージを生成し、移動端末装置１１０に向けて送信する。また、ハンドオーバ処理部２３０は、移動端末装置１１０のハンドオーバ実行を意味するFast Binding Update(F-BU) メッセージを受信すると、応答としてFast Binding Acknowledgment(F-BACK) メッセージを送信する。以降、ハンドオーバ処理部２３０は、移動端末装置１１０宛パケットを移動先無線基地局に転送する処理を実行する。
【００３０】
ｂ．移動端末装置上の通信セッションがコネクションオリエンテッド通信である場合；
ハンドオーバ処理部２３０は、コネクションオリエンテッド通信を行っている移動端末装置１１０が送信したコネクションオリエンテッド通信のための移動先基地局要請メッセージを受け取るか、もしくは受信状態監視部２１１より無線伝送路の伝送品質が悪化したことの通知を受けると、移動先候補となる無線基地局の選択を、移動先無線基地局判定部２６０に要求する。移動先無線基地局判定部２６０は、選択移動先基地局要請メッセージに含まれる通信セッションが要求するリソース量と、無線基地局リソース情報記憶部２４０により記憶されている他無線基地局のリソース情報と、無線チャネル管理部２５０により管理されている無線チャネル空情報とを利用して、移動先となる無線基地局を選択する。また、無線基地局リソース情報記憶部２４０は、移動端末装置１１０が送信したコネクションオリエンテッド通信のための移動先基地局要請移動先メッセージを受け取ると、移動先基地局要請移動先メッセージに含まれる各通信セッションのために要求された無線リソースを確保するためのリソース確保要求メッセージを移動先無線基地局に向けて送信する。
【００３１】
図３は図１を構成する移動端末装置（ＭＮ）１１０の構成例を示したものである。移動端末装置ＭＮは、送受信部３１０、ハンドオーバ処理部３２０、移動先無線基地局判定部３３０、無線チャネル管理部３４０を備えている。送受信部３１０は、無線伝送路１３１に対するデータの送受信を行うための装置であり、無線伝送路の状態を監視するための受信状態監視部３１１を備えている。受信状態監視部３１１は、無線伝送路の状態が通信を継続できないほど悪化したことを検知すると、ハンドオーバ処理部３２０に通知する機能を有する。ハンドオーバ処理部３２０は、Ｍｏｂｉｌｅ  ＩＰ  およびＦａｓｔ  Ｍｏｂｉｌｅ  ＩＰにもとづいたネットワーク層レベルのハンドオーバ処理を行うために使用する。
【００３２】
移動先無線基地局判定部３３０は、通信セッションが必要とする無線リソースや無線基地局のリソース情報などを用いて、移動先となる無線基地局を選定するための装置である。無線チャネル管理部３４０は、無線基地局との通信を行うために使用する無線チャネルの管理を行うための装置である。
【００３３】
図４は無線リソースの分散管理形態の場合における移動端末装置ＭＮと無線基地局ＡＲ−１、ＡＲ−２、ＡＲ−３とに係るハンドオーバ手続きの概要を示したものである。ハンドオーバ処理は大きく分けて以下の５段階の手続きにより実現される。
【００３４】
（１）各無線基地局間の無線リソース情報を共有する、無線基地局間無線リソース情報交換手続き（図４の手続きＰ４０１）
（２）ハンドオーバの実行を決定し、ハンドオーバ実行の前処理を行う、ハンドオーバ実行開始手続き（図４の手続きＰ４０２）
（３）移動先となる無線基地局上に移動端末装置上で実行されている通信セッションが要求する無線リソースを確保するための、無線リソース確保手続き（図４の手続きＰ４０３）
（４）移動先となる無線基地局および移動先無線基地局との通信で用いる無線チャネルを通知する、ハンドオーバ移動先通知手続き（図４の手続きＰ４０４）  （５）ＦＭＩＰに基づくパケット転送処理を実行するＦＭＩＰパケット転送手続き（図４の手続きＰ４０５）。
【００３５】
図５は図４のＰ４０１として示す無線基地局間無線リソース情報手続きの処理手順の第１の例を示したものである。以降では、図２、図５、図７、図８を用いて本手順について詳細に説明する。
【００３６】
（ステップ１）  無線基地局ＡＲ−１の無線基地局間リソース情報交換部２７０は、無線基地局ＡＲ−２のリソース情報が必要であると判断すると、図７に示す形式の無線リソース情報要求メッセージを生成し、近隣にある無線基地局ＡＲ−２に向けて送信する（図５のメッセージ５０１）。
【００３７】
（ステップ２）  無線基地局ＡＲ−２の無線基地局間リソース情報交換部２７０は、無線リソース情報要求メッセージ５０１を受信すると、受信状態監視部２１１と無線チャネル管理部２５０が管理している無線リソースに関する情報を含んだ、図８に示す形式の無線リソース情報報告メッセージを生成し、無線基地局ＡＲ−１に向けて送信する（図５のメッセージ５０２）。
【００３８】
（ステップ３）  無線基地局ＡＲ−１の無線基地局間リソース情報交換部２７０は、無線リソース情報告メッセージ５０２を受け取ると、報告された無線リソース情報を無線基地局リソース情報記憶部２４０に記憶する（図５の手続き５０３）。
【００３９】
また、無線基地局ＡＲ−１は、無線基地局ＡＲ−３に対しても同様の手順を実行する。以上の手順により、例えば、無線基地局ＡＲ−１の移動先無線基地局判定部２６０の電源投入直後の時点で、他の無線基地局に関する情報を有していない場合に、即座に他無線基地局の情報を取得することが可能となる。
【００４０】
次に、図６は図４の無線基地局間無線リソース情報手続きＰ４０１の処理手順の第２の例を示したものである。以降では、図２、図６、図８を用いて、本手順について詳細に説明する。
【００４１】
（ステップ１）  無線基地局ＡＲ−１の無線基地局間リソース情報交換部２７０は、周期ＴAR1-AR2 で受信状態監視部２１１と無線チャネル管理部２５０が管理している無線チャネルに関する情報を含んだ無線リソース情報報告メッセージを生成し、無線基地局ＡＲ−２に対して送信することを繰り返す（図６のメッセージ６０１、６０５）。同様に、周期Ｔ AR1-AR3  で、無線基地局に対しても無線リソース情報報告メッセージ（６０２、６０６）を生成し、送信することを繰り返す。
【００４２】
（ステップ２）  無線基地局ＡＲ−２の無線基地局間リソース情報交換部２７０は、無線リソース情報告メッセージ６０２、６０６を受け取ると、報告された無線リソース情報を無線基地局リソース情報記憶部２４０に記憶する（図６の手続き６１１、６１６）。
【００４３】
また、無線リソース情報要求メッセージを送信する契機としては、周期的な送信に限るものではない。例えば図６の無線基地局ＡＲ−２の動作に示すように、内部の無線リソース割当状態変化６１３を契機として、無線基地局ＡＲ−１、ＡＲ−３に対して無線リソース情報要求メッセージを送信する方法もある（図６のメッセージ６０３、６０４）。
【００４４】
また、図５、図６に示す手順において、無線リソース情報報告メッセージを受け取った無線基地局の無線基地局リソース情報記憶部２４０に記録する情報としては、最近に受け取った無線リソース情報や、過去に受け取った無線リソース情報の変動に関する統計情報などがある。
【００４５】
図７に、図５で用いる無線リソース情報要求メッセージのパケット形式を示す。無線基地局ＡＲ−１は、無線リソース要求メッセージを意味する種別番号を含むメッセージを生成し、無線基地局ＡＲ−２、ＡＲ−３を宛先とする、例えばＵＤＰ／ＩＰのパケットヘッダを付与し、有線通信網１４０へ送信する。
【００４６】
図８に、図５と図６で用いる無線リソース情報報告メッセージのパケット形式を示す。無線基地局はリソース要求メッセージを受信すると、基地局の無線リソースに関する情報を含むメッセージ８０１を生成し、無線リソース情報報告を意味する種別番号を含む情報を付与する。さらに、無線リソース情報報告メッセージの送信元無線基地局を宛先とする、例えばＵＤＰ／ＩＰのパケットヘッダを付与し、有線通信網１４０へ送信する。
【００４７】
図９は図８の無線リソース情報８０１に含まれる詳細な情報の例を示したものである。無線品質情報として報告するものとしては、例えば、「無線通信システムが提供するサービス種別とそのために使用可能な空チャネル数」がある。また、別の情報としては、「ビット誤り率、ＳＩＲ、データ伝送率、移動端末装置と無線基地局間の伝送遅延」のような無線基地局によって計測された無線伝送路の品質情報がある。また、さらに別の情報としては「無線システム種別識別子、無線周波数、スクランブルコード」のような無線基地局が移動端末装置との通信に使用する無線システムの種類に関するものがある。
【００４８】
次に、図１０は図４の無線リソース確保手続きＰ４０３の処理手順の例を示したものである。以降では、図２、図３６、図３７を用いて、無線基地局ＡＲ−１が無線基地局ＡＲ−２に対して無線リソースの確保を要請する場合の手順について詳細に説明する。
【００４９】
（ステップ０）  図４のハンドオーバ実行開始手続きＰ４０２の結果として、無線基地局ＡＲ−１のハンドオーバ処理部２３０は、移動端末装置ＭＮもしくは無線基地局ＡＲ−１の移動先無線基地局判定部２６０から移動先無線基地局としてＡＲ−２を通知される。
【００５０】
（ステップ１）  無線基地局ＡＲ−１のハンドオーバ処理部２３０は、移動先無線基地局ＡＲ−２に向けたパケット転送のための準備処理を行った後、移動端末装置ＭＮの識別子と移動端末装置ＭＮ上の通信セッションが要求する無線リソースに関する情報を含んだ、図３６に示す形式のリソース確保要求メッセージを移動先無線基地局ＡＲ−２に向けて送信する（図１０のメッセージ１００１）。
【００５１】
（ステップ２）  無線基地局ＡＲ−２のハンドオーバ処理部２３０は、ソース確保要求メッセージ１００１を受信すると、無線基地局より転送されるパケットを受け入れるための処理を行った後、無線チャネル管理部２５０に対してソース確保要求メッセージ１００１に含まれる通信セッションの要求する無線リソースを満足する無線チャネルの確保させる（図１０の手続き１０１１）。
【００５２】
（ステップ３）  無線基地局ＡＲ−２のハンドオーバ処理部２３０は、移動端末装置ＭＮがハンドオーバ後に使用するＩＰアドレスに関する情報と無線基地局ＡＲ−１とＡＲ−２との間におけるパケット転送に関する情報と移動端末装置ＭＮ上の通信セッションのために予約された無線チャネルのチャネル番号に関する情報を含んだ、図３７に示す形式のリソース確保応答メッセージを無線基地局ＡＲ−１に向けて送信する（図１０のメッセージ１００２）。
【００５３】
また、無線基地局ＡＲ−２は、手続き１０１１の結果無線リソースを確保した時点で内部の無線リソース状態が変化するため、無線基地局ＡＲ−１、ＡＲ−３に対して、図８に示す無線リソース情報報告メッセージを送信している。
【００５４】
次に、図１１は図４のハンドオーバ移動先通知手続きＰ４０４の処理手順の例を示したものである。以降では、図２、図３、図１１、図３５を用いて、ハンドオーバ移動先通知手続きについて詳細に説明する。
【００５５】
（ステップ０）  無線基地局ＡＲ−１のハンドオーバ処理部は、無線リソース確保手続きＰ４０３の結果として、無線基地局ＡＲ−２が移動端末装置ＭＮのために確保した無線チャネルに関する情報を取得している。
【００５６】
（ステップ１）  無線基地局ＡＲ−１のハンドオーバ処理部は、移動端末装置ＭＮが移動先無線基地局との通信に使用することになる確保された無線チャネルに関する情報とＩＰアドレスに関する情報とを含んだ、図３５に示す形式の移動先無線基地局広告メッセージを移動端末装置ＭＮに向けて送信する（図１１の手続き１１０１）。
【００５７】
（ステップ２）  無線端末１１０のハンドオーバ処理部３２０と無線チャネル管理部３４０はそれぞれ、移動先無線基地局広告メッセージ１１０１により通知された新しいＩＰアドレスと無線チャネルに関する情報を取得し、ハンドオーバの実行に備える。
【００５８】
図４１は図４のＦＭＩＰパケット転送手続きＰ４０５の詳細な手続きの１つの例を示したものである。本手続きは、ＦＭＩＰを定義した非特許文献２により示されている手順を適用可能である。
【実施例１】
【００５９】
図２と図３と図１２と図３２と図３３と図３４と図３９を用いて、本発明の第１の実施例の手順を説明する。
【００６０】
（ステップ１）  移動端末装置ＭＮの受信状態監視部３１１は、無線基地局ＡＲ−１、ＡＲ−２、ＡＲ−３が定期的に送信するビーコン信号を受信し、その受信状態を比較する（図１２の手続き１２１１）。
【００６１】
（ステップ２）  移動端末装置ＭＮは、受信状態監視部３１１が無線基地局ＡＲ−１より受信状態が十分に良い無線基地局があることを発見するか、もしくはハンドオーバ処理部３２０に対して無線端末ＭＮのユーザよりハンドオーバ実行の命令が通知されると、ハンドオーバ実行準備を開始する（図１２の手続き１２１２）。
【００６２】
（ステップ３）  移動端末装置ＭＮの移動先無線基地局判定部３３０は、送受信部３１０により検知された無線基地局ＡＲ−１、ＡＲ−２、ＡＲ−３の識別子と、各無線基地局との通信品質情報と、移動端末装置ＭＮ上で実行されている通信セッション１〜４が必要とするリソース量に関する情報を含んだ、図３２に示す形式の検出無線基地局通知メッセージを無線基地局ＡＲ−１に向けて送信する（図１２のメッセージ１２０１）。
【００６３】
（ステップ４）  無線基地局ＡＲ−１のハンドオーバ処理部２３０は、検出無線基地局通知メッセージ１２０１を受信すると、移動先無線基地局判定部２６０を用いて移動先候補となる無線基地局としてＡＲ−１、ＡＲ−２、ＡＲ−３を選択する。移動先無線基地局判定部２６０が移動先候補無線基地局を選択するための判断基準としては、検出無線基地局通知メッセージ１２０１により取得する情報と、無線基地局リソース情報記憶部２４０に記憶された他無線基地局の無線リソース情報と、それぞれの無線基地局を使った場合の課金情報、移動端末装置ＭＮの各無線基地局に対するアクセス権限に関する情報が考えられる。
【００６４】
移動先無線基地局判定部２６０における移動先候補無線基地局の選択は、例えば以下のような手段をもって決定する。まず、無線基地局リソース情報記憶部２４０より取得した、無線基地局ＡＲ−１、ＡＲ−２、ＡＲ−３それぞれの「空き無線リソース量」と、移動端末装置ＭＮ上の各通信セッションの「必要とする無線リソースの量」とを比較し、移動端末装置ＭＮが必要とする無線リソース量を提供可能な無線基地局を選択する。次に、選択した無線基地局からさらに、各無線基地局において予め設定されている「当該無線基地局を利用する場合の利用料金」と検出無線基地局通知メッセージ１２０１に含まれて通知される「課金限度」とを比較して、利用料金が課金限度よりも低い無線基地局を選択する。次に、選択した無線基地局からさらに、移動端末装置ＭＮが契約している通信業者が提供する無線基地局であるか、または契約している通信業者とのローミング契約を結んでおり、移動端末装置ＭＮが利用する権限を有する無線基地局を選択する。
【００６５】
（ステップ５）  無線基地局ＡＲ−１のハンドオーバ処理部２３０は、移動先候補として選択した無線基地局とその通信品質に関する情報とを含んだ図３３に示す形式の移動先候補無線基地局通知メッセージを移動端末装置MNに向けて送信する（図１２のメッセージ１２０２）。
【００６６】
（ステップ６）  移動端末装置ＭＮのハンドオーバ処理部３２０は、移動先無線基地局判定部３３０を用いて、移動先無線基地局として無線基地局ＡＲ−２を決定する（図１２の手続き１２１４）。移動先無線基地局判定部３３０が移動先無線基地局を決定するための判断基準は、移動先候補無線基地局通知メッセージ１２０２に含まれる情報と受信状態監視部３１１により検出される各無線基地局からの受信状態がある。
【００６７】
移動先無線基地局判定部３３０における移動先候補無線基地局の選択は、例えば以下のような手段をもって決定する。まず、移動先候補無線基地局メッセージに含まれる、各移動先候補無線基地局の「通信品質情報」を比較し、最も通信品質の良い無線基地局を移動先無線基地局として決定する。
【００６８】
（ステップ７）  移動端末装置ＭＮのハンドオーバ処理部３２０は、移動先無線基地局ＡＲ−２の識別子と実行中の通信セッション１〜４が必要とするリソース量に関する情報を含んだ、図３４に示す形式の移動先無線基地局要請メッセージを無線基地局ＡＲ−１に向けて送信する（図１２のメッセージ１２０３）。
【００６９】
（ステップ８）  無線基地局ＡＲ−１は、図５として示した手順を用いて、無線基地局ＡＲ−２に対して無線リソースの確保を要求する（図１２の手続きＰ４０３）。
【００７０】
（ステップ９）  無線基地局ＡＲ−１は、図６として示した手順を用いて、移動端末装置ＭＮに対して、移動先無線基地局との通信で用いる無線チャネルとＩＰアドレスに関する情報を通知する（図１２の手続きＰ４０４）。
【００７１】
図３９は、本実施例において用いる、図３２に示す形式の検出無線基地局通知メッセージと、図３４に示す形式の移動先無線基地局要請メッセージとに含まれる、移動端末装置上の通信セッションが必要とする無線リソース量に含まれる詳細な情報を示したものである。移動端末装置が要求する無線リソース量には、送受信データのビット誤り率と、送受信データの伝送速度と、送受信データのデータ伝送遅延とが含まれ、さらに各項目の優先順位とが含まれる。
【実施例２】
【００７２】
また、上記第１の実施例のステップ２、３において、移動端末装置ＭＮが検出、通知する移動先候補無線基地局が１台しか無い場合、上記手続きのステップ３〜６を省略することも可能である。この場合における処理手順を、本発明の第２の実施例として図１３に示す。
【実施例３】
【００７３】
また、上記第１の実施例のステップ４において、無線基地局ＡＲ−１が選択した移動先候補無線基地局が１台しかない場合、上記手続きのステップ５〜７を省略することも可能である。この場合における処理手順を、本発明の第３の実施例として図１４に示す。
【実施例４】
【００７４】
上記した第３の実施例に示した手順に加え、無線基地局ＡＲ−１が定期的に周辺無線基地局の無線リソース情報を無線端末ＭＮに対して通知する方式考えられる。この場合における処理手順を、本発明の第４の実施例として図１５に示し、以下で詳細に説明する。
【００７５】
（ステップ１）  移動端末装置ＭＮの受信状態監視部３１１は、無線基地局ＡＲ−１、ＡＲ−２、ＡＲ−３が定期的に送信するビーコン信号を受信し、その受信状態を測定する（図１５の手続き１５１１）。
【００７６】
（ステップ２）  無線基地局ＡＲ−１の移動先無線基地局判定部２６０は、無線基地局間無線リソース情報交換手続きＰ４０１で取得した周辺無線基地局の無線リソース情報を、図３３に示す形式の移動先候補無線基地局メッセージを用いて、移動端末装置ＭＮへ定期的に通知する（図１５のメッセージ１５０１）。
【００７７】
（ステップ３）  移動端末装置ＭＮの移動先無線基地局判定部３３０は、受信状態監視部３１１により無線基地局ＡＲ−１より受信状態が十分に良い無線基地局が検出されたことを通知されると、ハンドオーバの実行を決定する（図１５の手続き１５１１１５１２）。
【００７８】
（ステップ４）  移動端末装置ＭＮの移動先無線基地局判定部３３０は、移動先候補無線基地局メッセージ１５０１により取得した無線基地局の無線リソース情報を利用して、無線基地局ＡＲ−２を移動先無線基地局として決定する（図１５の手続き１５１２１５１３）。
【００７９】
（ステップ５）  移動端末装置ＭＮのハンドオーバ処理部３２０は、移動先無線基地局ＡＲ−２の識別子と実行中の通信セッション１〜４が必要とするリソース量に関する情報を含んだ、図３４に示す形式の移動先無線基地局要請メッセージを無線基地局ＡＲ−１に向けて送信する（図１５のメッセージ１５０２）。
【００８０】
（ステップ６）  無線基地局ＡＲ−１は、図５として示した手順を用いて、無線基地局ＡＲ−２に対して無線リソースの確保を要求する（図１５の手続きＰ４０３）。
【００８１】
（ステップ７）  無線基地局ＡＲ−１は、図１１として示した手順を用いて、移動端末装置ＭＮに対して、移動先無線基地局との通信で用いる無線チャネルとＩＰアドレスに関する情報を通知する（図１５の手続きＰ４０４）。
【００８２】
上記第１〜第４の各実施例では、ハンドオーバの開始決定を移動端末装置側が行う。一方で、ハンドオーバの開始を無線網側で行う方式も考えられる。
【実施例５】
【００８３】
図２と図３と図１６と図３２と図３３と図３４を用いて、本発明の第５の実施例の手順を説明する。
【００８４】
（ステップ１）  移動端末装置ＭＮの受信状態監視部３１１は、無線基地局ＡＲ−１、ＡＲ−２、ＡＲ−３が定期的に送信するビーコン信号を受信し、その受信状態を測定する（図１６の手続き１６１１）。
【００８５】
（ステップ２）  移動端末装置の移動先無線基地局判定部３３０は、送受信部３１０により検知された無線基地局ＡＲ−１、ＡＲ−２、ＡＲ−３の識別子と、各無線基地局との通信品質情報と、移動端末装置ＭＮ上で実行されている通信セッション１〜４が必要とするリソース量に関する情報を含んだ、図３２に示す形式の検出無線基地局通知メッセージを無線基地局ＡＲ−１に向けて定期的に送信する（図１６のメッセージ１６０１）。
【００８６】
（ステップ３）  無線基地局ＡＲ−１のハンドオーバ処理部２３０は、無線基地局リソース情報記憶部２４０に記憶されている他の無線基地局のリソース情報と、検出無線基地局通知メッセージを無線基地局１６０１により取得した移動端末装置ＭＮの受信状態を用いて、ハンドオーバの実行を決定する（図１６の手続き１６１２）。
【００８７】
（ステップ４）  無線基地局ＡＲ−１の移動先無線基地局判定部２６０は、移動先候補無線基地局を選択する（図１６の手続き１６１３）。
【００８８】
（ステップ５）  無線基地局ＡＲ−１のハンドオーバ処理部２３０は、移動先候補として選択した無線基地局とその通信品質に関する情報とを含んだ図３３に示す形式の移動先候補無線基地局通知メッセージを移動端末装置ＭＮに向けて送信する（図１６のメッセージ１６０２）。
【００８９】
（ステップ６）  移動端末装置ＭＮのハンドオーバ処理部３２０は、移動先無線基地局判定部３３０を用いて、移動先無線基地局として無線基地局ＡＲ−２を決定する（図１６の手続き１６１４）。
【００９０】
（ステップ７）  移動端末装置ＭＮのハンドオーバ処理部３２０は、移動先無線基地局ＡＲ−２の識別子と実行中の通信セッション１〜４が必要とするリソース量に関する情報を含んだ、図３４に示す形式の移動先無線基地局要請メッセージを無線基地局ＡＲ−１に向けて送信する（図１６のメッセージ１６０３）。
【００９１】
（ステップ８）  無線基地局ＡＲ−１は、図５として示した手順を用いて、無線基地局ＡＲ−２に対して無線リソースの確保を要求する（図１６の手続きＰ４０３）。
【００９２】
（ステップ９）  無線基地局ＡＲ−１は、図１１として示した手順を用いて、移動端末装置ＭＮに対して、移動先無線基地局との通信で用いる無線チャネルとＩＰアドレスに関する情報を通知する（図１６の手続きＰ４０４）。
【実施例６】
【００９３】
また、上記第５の実施例のステップ４において、移動先無線基地局判定部２６０によって選択された移動先候補無線基地局が１台しかない場合、上記手続きのステップ５〜８を省略することも可能である。この場合における処理手順を、本発明の第６の実施例として図１７に示す。
【実施例７】
【００９４】
上記第１〜６の各実施例では、移動端末装置または無線基地局により移動先無線基地局を決定してから、移動先無線基地局の無線リソースを確保する方式を用いている。これらの方式では、特に移動端末装置から移動先無線基地局要請メッセージが送信される場合、無線基地局は、移動先無線基地局広告メッセージを移動端末装置に向けて送信する前に、必ず移動先無線基地局との間で無線リソース確保手続きを行う必要がある。
【００９５】
そこで、移動先候補無線基地局が選択された時点で、あらかじめすべての移動先候補無線基地局の無線リソースを確保することにより、無線基地局における移動先無線基地局要請メッセージの受信から、移動先無線基地局広告メッセージの送信までの時間を短縮する方式が考えられる。本方式に基づく処理手順を、本発明の第７の実施例として図１８に示し、以下で詳細に説明する。
【００９６】
（ステップ１）  移動端末装置ＭＮの受信状態監視部３１１は、無線基地局ＡＲ−１、ＡＲ−２、ＡＲ−３が定期的に送信するビーコン信号を受信し、その受信状態を比較する（図１８の手続き１８１１）。
【００９７】
（ステップ２）  移動端末装置ＭＮは、受信状態監視部３１１が無線基地局ＡＲ−１より受信状態が十分に良い無線基地局があることを発見するか、もしくはハンドオーバ処理部３２０に対して無線端末ＭＮのユーザよりハンドオーバ実行の命令が通知されると、ハンドオーバ実行準備を開始する（図１８の手続き１８１２）。
【００９８】
（ステップ３）  移動端末装置ＭＮの移動先無線基地局判定部３３０は、送受信部３１０により検知された無線基地局ＡＲ−１、ＡＲ−２、ＡＲ−３の識別子と、各無線基地局との通信品質情報と、移動端末装置ＭＮ上で実行されている通信セッション１〜４が必要とするリソース量に関する情報を含んだ、図３２に示す形式の検出無線基地局通知メッセージを無線基地局ＡＲ−１に向けて送信する（図１８のメッセージ１８０１）。
【００９９】
（ステップ４）  無線基地局ＡＲ−１のハンドオーバ処理部２３０は、検出無線基地局通知メッセージ１８０１を受信すると、移動先無線基地局判定部２６０を用いて移動先候補となる無線基地局としてＡＲ−１、ＡＲ−２、ＡＲ−３を選択する（図１８の手続き１８１３）。移動先無線基地局判定部２６０が移動先候補無線基地局を選択するための判断基準としては、検出無線基地局通知メッセージ１３０１により取得する情報と、無線基地局リソース情報記憶部２４０に記憶された他無線基地局の無線リソース情報と、それぞれの無線基地局を使った場合の課金情報、移動端末装置ＭＮの各無線基地局に対するアクセス権限に関する情報が考えられる。
【０１００】
（ステップ５）  無線基地局ＡＲ−１のハンドオーバ処理部２３０は、上記ステップ４において選択した無線基地局ＡＲ−２、ＡＲ−３それぞれに対して、図５として示した手順を用いて、無線基地局ＡＲ−２に対して無線リソースの確保を要求する（図１８の手続きＰ４０３）。
【０１０１】
（ステップ６）  無線基地局ＡＲ−１のハンドオーバ処理部２３０は、移動先候補無線基地局ＡＲ−１、ＡＲ−２、ＡＲ−３の通信品質に関する情報を含んだ図３３に示す形式の移動先候補無線基地局通知メッセージを移動端末装置ＭＮに向けて送信する（図１８のメッセージ１８０２）。
【０１０２】
（ステップ７）  移動端末装置ＭＮのハンドオーバ処理部３２０は、移動先無線基地局判定部３３０を用いて、移動先無線基地局として無線基地局ＡＲ−２を決定する（図１８の手続き１８１４）。移動先無線基地局判定部３３０が移動先無線基地局を決定するための判断基準としては、移動先候補無線基地局通知メッセージ１８０２に含まれる情報と受信状態監視部３１１により検出される各無線基地局からの受信状態がある。
【０１０３】
（ステップ８）  移動端末装置ＭＮのハンドオーバ処理部３２０は、移動先無線基地局ＡＲ−２の識別子と実行中の通信セッション１〜４が必要とするリソース量に関する情報を含んだ、図３４に示す形式の移動先無線基地局要請メッセージを無線基地局ＡＲ−１に向けて送信する（図１８のメッセージ１８０３）。
【０１０４】
（ステップ９）  無線基地局ＡＲ−１のハンドオーバ処理部２３０は、移動先無線基地局要請メッセージ１８０３を受信すると、図１１として示した手順を用いて、移動端末装置ＭＮに対して、移動先無線基地局との通信で用いる無線チャネルとＩＰアドレスに関する情報を通知する（図１８の手続きＰ４０４）。
【０１０５】
（ステップ１０）  無線基地局ＡＲ−１のハンドオーバ処理部２３０は、移動端末装置ＭＮのハンドオーバ完了後に、開放する無線チャネルの番号に関する情報を含んだ、図４０に示す形式のリソース開放要求メッセージを移動先無線基地局として選択されなかった無線基地局ＡＲ−３に向けて送信する（図１８のメッセージ１８２５）。
【０１０６】
（ステップ１１）  無線基地局ＡＲ−３のハンドオーバ処理部２３０は、リソース開放要求メッセージ１８２５を受信すると、リソース開放要求メッセージで指定された無線チャネルを開放する（図１８の手続き１８３３）。
【実施例８】
【０１０７】
上記の第１〜７の各実施例では、各無線基地局は内部に、他無線基地局のリソース情報を記憶するための手段を備えている必要がある。一方、無線基地局の構成コストを低くすることを目的として、無線基地局は他無線基地局の無線リソース情報を記憶しないという方式も考えられる。本方式に基づく処理手順を、本発明の第８の実施例として以下に説明する。
【０１０８】
図１９は、本発明の第８の実施例における無線基地局の構成例を示している。図１９に示す無線基地局の各部位の機能は、図３において示した本発明の第１の実施例における無線基地局の構成例における同名の部位と同様である。図２０は、本実施例における処理手順を示したものである。本実施例の手順は、図１３として示した本発明の第１の実施例と同様の手続きによりハンドオーバ処理を実現するが、以下の点が異なる。
【０１０９】
すなわち、事前に無線基地局間で無線リソース情報の交換を行っていないこと、また無線基地局ＡＲ−１の移動先無線基地局判定部１９６０が移動端末装置ＭＮより検出無線基地局通知メッセージ２００１を受信すると、図６に示す手段を用いた無線基地局間無線リソース情報交換手続き（図２０のＰ４０１）により他無線基地局のリソース情報を収集し、移動先候補無線基地局を決定すること、である。
【実施例９】
【０１１０】
図２０に示した本発明の第８の実施例では、移動端末装置ＭＮがハンドオーバの開始を決定するが、無線基地局側が移動端末装置からの定期的なレポートを受信し、ハンドオーバを決定する方式も考えられる。本方式に基づく手順を本発明の第９の実施例として、図２１に示す。なお、図２１の無線基地局ＡＲ−１で実行される移動先無線基地局候補選択手続きで選択される移動先無線基地局が１台である場合には、移動先候補無線基地局通知メッセージ２１０２、移動先無線基地局決定手続き２１１４、移動先無線基地局要請メッセージ２１０３を省略することが可能である。
【０１１１】
これまでに説明した、本発明の第１〜９の各実施例では、無線リソース管理機能を各無線基地局に分散させる方式を用いている。一方、無線リソースの管理を集中して行う独立ノードを用いる方式も考えられる。以降では、無線リソースの集中管理方式に基づくハンドオーバ手順について説明する。
【０１１２】
図２２は無線リソースの集中管理方式を用いた場合における、無線通信システム全体の構成例を示したものである。図２２に示す無線通信システムは、移動端末装置ＭＮ、無線基地局ＡＲ−１１、ＡＲ−１２、ＡＲ−１３、無線リソース管理装置ＲＲＭＳから構成される。移動端末装置ＭＮの構成は図３に示したものと同様である。
【０１１３】
図２３は、図２２の無線リソース管理装置ＲＲＭＳの構成例を示したものである。無線リソース管理措置は、送受信部２３１０、ハンドオーバ処理部２３２０、基地局リソース情報記憶部２３３０、移動先基地局判定部２３４０、無線リソース管理処理部２３５０を備えている。送受信部２３１０は、図２２の有線網に対するデータ送受信を行うための装置である。ハンドオーバ処理部２３２０は、移動端末装置ＭＮや無線基地局ＡＲ−１１、ＡＲ−１２、ＡＲ−１３から受け付けるＭＩＰやＦＭＩＰに基づいたハンドオーバ処理を行うために使用する。
【０１１４】
基地局リソース情報記憶部２３３０は、図２２の有線網に接続された無線基地局ＡＲ−１１、ＡＲ−１２、ＡＲ−１３の無線リソースに関する情報を記憶するために使用する。移動先基地局判定部２３４０は、移動端末装置から通知された移動端末装置の要求無線リソース量と、無線基地局リソース情報記憶部２３３０に記憶されている無線基地局の無線リソース情報とを用いて、移動端末装置のハンドオーバ先となる無線基地局の候補を選定するための装置である。無線リソース管理処理部２３５０は、移動端末装置や無線基地局から受け付ける無線リソース確保や開放や情報交換に関するメッセージに応じた処理を行う。
【０１１５】
図２４は、図２２を構成する無線基地局ＡＲ−１１の構成例を示したものである。無線基地局ＡＲ−１２およびＡＲ−１３も同様の構成を有する。無線基地局ＡＲ−１１は、第１の送受信部２４１０、第２の送受信部２４２０、ハンドオーバ処理部２４３０、無線チャネル管理部２４５０を備えている。また、第１の送受信部２４１０は、無線伝送路の状態を監視するための受信状態監視部２４１１を備えている。各部位の機能は、図２として説明した無線基地局の同名の部位と同様である。
【０１１６】
次に、図２５は、無線リソース管理装置により無線リソースの集中管理を行った場合における、移動端末装置ＭＮと無線基地局ＡＲ−１１、ＡＲ−１２、ＡＲ−１３と無線リソース管理装置ＲＲＭＳに係るハンドオーバ手続きの概要を示したものである。ハンドオーバの処理は大きく分けて以下の５段階の手続きにより実現される。
【０１１７】
（１）各無線基地局の無線リソース情報を無線リソース管理装置に報告する無線リソース情報報告手続き（手続きＰ７０１）。
【０１１８】
（２）ハンドオーバの実行を決定し、ハンドオーバ実行の前処理を行うハンドオーバ実行開始手続き（手続きＰ−７０２）。
【０１１９】
（３）移動先となる無線基地局でコネクションオリエンテッド通信が要求する無線リソースを確保するための無線リソース確保手続き（手続きＰ７０３）。
【０１２０】
（４）移動先となる無線基地局および移動先無線基地局との通信で用いる無線チャネルを通知するハンドオーバ移動先通知手続き（手続きＰ７０４）。
【０１２１】
（５）ＦＭＩＰに基づくパケット転送処理を実行するＦＭＩＰパケット転送手続き（手続きＰ７０５）。
【０１２２】
図２６は、図２５のＰ７０１として示す無線リソース情報報告手続きの処理手順の詳細な手順について、第１の例を示したものである。以降では、図７、図８、図２３、図２４、図２６を用いて、本手順について詳細に説明する。
【０１２３】
（ステップ１）  無線リソース管理装置ＲＲＭＳの無線リソース管理処理部２３５０は、例えば起動直後で基地局リソース情報記憶部２３３０に何も情報を持たない場合に、無線基地局ＡＲ−１２のリソース情報が必要であると判断すると、図７に示す形式の無線リソース情報要求メッセージを生成し、無線基地局ＡＲ−１１に向けて送信する（図２６のメッセージ２６０１）。
【０１２４】
（ステップ２）  無線基地局ＡＲ−１１の無線チャネル管理部２４５０は、無線リソース情報要求メッセージ２６０１を受信すると、受信状態監視部２４１１と無線チャネル管理部２４５０が管理している無線リソースに関する情報を含んだ、図８に示す形式の無線リソース情報報告メッセージを生成し、無線リソース管理装置ＲＲＭＳに向けて送信する（図２６のメッセージ２６０２）。
【０１２５】
（ステップ３）  無線リソース管理装置ＲＲＭＳの無線リソース管理処理部２３５０は、無線リソース情報報告メッセージ２６０２を受け取ると、報告された無線リソース情報を無線基地局リソース情報記憶部２３３０に記憶する（図２６の手続き２６１１）。
【０１２６】
また、無線リソース管理装置ＲＲＭＳは、無線基地局ＡＲ−１２、ＡＲ−１３に対しても同様の手続きにより無線リソース情報を収集する。
【０１２７】
次に、図２７は、図２５の手続きＰ７０１として示した無線リソース情報報告手続きの処理手順の詳細な手順に関する第２の例を示したものである。以降では、図８、図２３、図２４、図２７を用いて、本手順について詳細に説明する。
【０１２８】
（ステップ１）  無線基地局ＡＲ−１１の無線チャネル管理部２４５０は、周期ＴAR1-RRMSで受信状態監視部２４１１と無線チャネル管理部２４５０が管理している無線チャネルに関する情報を含む無線リソース情報報告メッセージ（図２７のメッセージ２７０１、２７０３）を生成し、無線リソース管理装置ＲＲＭＳに対して送信することを繰り返す。
【０１２９】
（ステップ２）  無線リソース管理装置ＲＲＭＳの無線リソース管理処理部２３５０は、無線リソース情報告メッセージ２７０１、２７０３を受け取ると、報告された無線リソース情報を無線基地局リソース情報記憶部２３３０に記憶する（図２７の手続き２７１１、２７１４）。
【０１３０】
無線リソース情報要求メッセージを送信する契機としては、周期的な送信に限るものではない。例えば図２７の無線基地局ＡＲ−１２の動作に示すように、内部の無線リソース割当状態変化２７１２を契機として、無線リソース管理装置ＲＲＭＳに対して無線リソース情報要求メッセージを送信する方法もある（図２７のメッセージ２７０２）。
【実施例１０】
【０１３１】
図３と図８と図９と図２３と図２４と図２８と図３２と図３３と図３４を用いて、本発明の第１０の実施例の手順を説明する。
【０１３２】
（ステップ１）  移動端末装置ＭＮの受信状態監視部３１１は、無線基地局ＡＲ−１１、ＡＲ−１２、ＡＲ−１３が定期的に送信するビーコン信号を受信し、その受信状態を比較する（図２８の手続き２８１１）。また、無線リソース管理装置ＲＲＭＳは、移動端末装置ＭＮの周辺に存在する無線基地局の識別子と、各無線基地局の無線基地局情報を含んだ図４２に示す形式の周辺無線基地局情報広告メッセージを、無線端末ＭＮに対して定期的に通知する（図２８のメッセージ２８０５）。
【０１３３】
無線基地局情報４２０１として通知される情報の具体的な内容は、図８及び図９に示す無線リソース情報報告メッセージの無線リソース情報と同様である。
【０１３４】
（ステップ２）  移動端末装置ＭＮのハンドオーバ処理部は、受信状態監視部３１１が無線基地局ＡＲ−１１より受信状態が十分に良い無線基地局があることを発見するか、もしくはハンドオーバ処理部３２０に対して無線端末ＭＮのユーザよりハンドオーバ実行の命令が通知されると、ハンドオーバ実行準備を開始する（図２８の手続き２８１２）。
【０１３５】
（ステップ３）  移動端末装置ＭＮの移動先無線基地局判定部３３０は、送受信部３１０により検知された無線基地局ＡＲ−１１、ＡＲ−１２、ＡＲ−１３の識別子と、各無線基地局との通信品質情報と、移動端末装置ＭＮ上で実行されている通信セッション１〜４が必要とするリソース量に関する情報を含んだ、図３２に示す形式の検出無線基地局通知メッセージを無線リソース管理装置ＲＲＭＳに向けて送信する（図２８のメッセージ２８０１）。
【０１３６】
（ステップ４）  無線リソース管理装置ＲＲＭＳの移動先無線基地局判定部２３４０は検出無線基地局通知メッセージ２８０１を受信すると、移動先無線基地局判定部２３４０を用いて移動先候補となる無線基地局としてＡＲ−１１、ＡＲ−１２、ＡＲ−１３を選択する（図２８の手続き２８１３）。
【０１３７】
移動先無線基地局判定部２３４０が移動先候補無線基地局を選択するための判断基準としては、検出無線基地局通知メッセージ２８０１により取得する情報と、無線基地局リソース情報記憶部２３３０に記憶された無線基地局の無線リソース情報と、それぞれの無線基地局を使った場合の課金情報、移動端末装置ＭＮの各無線基地局に対するアクセス権限に関する情報が考えられる。
【０１３８】
（ステップ５）  無線リソース管理装置ＲＲＭＳの移動先無線基地局判定部２３４０は、移動先候補として選択した無線基地局とその通信品質に関する情報とを含んだ、図３３に示す形式の移動先候補無線基地局通知メッセージを移動端末装置ＭＮに向けて送信する（図２８のメッセージ２８０２）。
【０１３９】
（ステップ６）  移動端末装置ＭＮのハンドオーバ処理部３２０は、移動先無線基地局判定部３３０を用いて、移動先無線基地局として無線基地局ＡＲ−１２を決定する（図２８の手続き２８１４）。移動先無線基地局判定部３３０が移動先無線基地局を決定するための判断基準は、移動先候補無線基地局通知メッセージ１３０２に含まれる情報と受信状態監視部３１１により検出される各無線基地局からの受信状態がある。
【０１４０】
（ステップ７）  移動端末装置ＭＮのハンドオーバ処理部３２０は、移動先無線基地局ＡＲ−１２の識別子と実行中の通信セッション１〜４が必要とするリソース量に関する情報を含んだ、図３４に示す形式の移動先無線基地局要請メッセージを無線基地局ＡＲ−１１に向けて送信する（図２８のメッセージ２８０３）。
【０１４１】
（ステップ８）  無線基地局ＡＲ−１１は、図５として示した手順を用いて、無線基地局ＡＲ−１２に対して無線リソースの確保を要求する（図２８の手続きＰ７０３）。さらに、無線基地局ＡＲ−１２は、無線リソース状態が変化したことを、無線リソース管理装置ＲＲＭＳに報告し（図２８のメッセージ２８０４）、無線リソース管理装置ＲＲＭＳは内部情報の更新を行う（図２８の２８１５）。
【０１４２】
（ステップ９）  無線基地局ＡＲ−１１は、図６として示した手順を用いて、移動端末装置ＭＮに対して、移動先無線基地局との通信で用いる無線チャネルとＩＰアドレスに関する情報を通知する（図１２の手続きＰ７０４）。
【０１４３】
また、移動端末装置ＭＮと無線リソース管理装置ＲＲＭＳが直接通信できない場合も考えられる。このような場合、図３１に示すように、本手順における移動端末装置ＭＮと無線リソース管理装置ＲＲＭＳ間の通信を、移動持つ無線基地局ＡＲ−１１が中継する方式もありうる。また、ステップ１で無線基地局ＲＲＭＳが必ずしも周辺無線基地局情報広告メッセージを送信する必要は無い。
【実施例１１】
【０１４４】
本発明の第１０の実施例において、ステップ３において検出無線基地局として選択された無線基地局が１台しかない場合、上記第１０の実施例の手続きのステップ４〜７を省略することも可能である。ハンドオーバ実行要請メッセージを受信した無線基地局ＡＲ−１１のハンドオーバ処理部は、無線リソース確保手続きＰ７０３、ハンドオーバ移動先通知手続きを実行して、ハンドオーバ処理を完成させる。これを、本発明の第１１の実施例として図２９に示す。
【実施例１２】
【０１４５】
図２３と図２４と図３０と図３２と図３３と図３４と図３８と図４０を用いて、本発明の第１２の実施例を示す。
【０１４６】
（ステップ１）  移動端末装置ＭＮの受信状態監視部３１１は、無線基地局ＡＲ−１１、ＡＲ−１２、ＡＲ−１３が定期的に送信するビーコン信号を受信し、その受信状態を測定する（図３０の手続き３０１１）。
【０１４７】
（ステップ２）  移動端末装置ＭＮの移動先無線基地局判定部３３０は、送受信部３１０により検知された無線基地局ＡＲ−１１、ＡＲ−１２、ＡＲ−１３の識別子と、各無線基地局との通信品質情報と、移動端末装置ＭＮ上で実行されている通信セッション１〜４が必要とするリソース情報に関する情報を含んだ、図３２に示す形式の検出無線基地局通知メッセージを無線リソース管理装置ＲＲＭＳに向けて定期的に送信する（図３０のメッセージ３００１）。
【０１４８】
（ステップ３）  無線リソース管理装置ＲＲＭＳのハンドオーバ処理部２３２０は、無線基地局リソース情報記憶部２３３０に記憶されている無線基地局のリソース情報と、検出無線基地局通知メッセージ３００１により取得した、移動端末装置ＭＮの受信状態を用いて、ハンドオーバの実行を決定する（図３０の手続き３０１２）。
【０１４９】
（ステップ４）  無線リソース管理装置ＲＲＭＳの移動先無線基地局判定部２３４０は、移動先候補無線基地局として無線基地局ＡＲ−１１、ＡＲ−１２、ＡＲ−１３を選択する（図３０の手続き３０１３）。
【０１５０】
（ステップ５）  無線リソース管理装置ＲＲＭＳの無線リソース管理処理部２２３０は、前記ステップ４において選択した全ての移動先候補無線基地局に対して、検出無線基地局通知メッセージ３００１より取得した無線移動端末ＭＮの要求無線リソースを確保するための手続きを実行する（図３０の手続きＰ７０３）。
【０１５１】
（ステップ６）  無線リソース管理装置ＲＲＭＳのハンドオーバ処理部２３２０は、移動先候補無線基地局ＡＲ−１１、ＡＲ−１２、ＡＲ−１３の通信品質に関する情報を含んだ、図３３に示す形式の移動先候補無線基地局通知メッセージを移動端末装置ＭＮに向けて送信する（図３０のメッセージ３００２）。
【０１５２】
（ステップ７）  移動端末装置ＭＮのハンドオーバ処理部３２０は、移動先無線基地局判定部３３０を用いて、移動先無線基地局として無線基地局ＡＲ−１２を決定する（図３０の手続き３０１４）。移動先無線基地局判定部３３０が移動先無線基地局を決定するための判断基準としては、移動先候補無線基地局通知メッセージ３００２に含まれる情報と受信状態監視部３１１により検出される各無線基地局からの受信状態がある。
【０１５３】
（ステップ８）  移動端末装置ＭＮのハンドオーバ処理部３２０は、移動先無線基地局ＡＲ−１２の識別子と実行中の通信セッション１〜４が必要とするリソース量に関する情報を含んだ、図３４に示す形式の移動先無線基地局要請メッセージを無線リソース管理装置ＲＲＭＳに向けて送信する（図３０のメッセージ３００３）。
【０１５４】
（ステップ９）  無線リソース管理装置ＲＲＭＳのハンドオーバ処理部２３２０は、移動元無線基地局であるＡＲ−１１に対して、移動先無線基地局ＡＲ−１２の識別子と、移動端末装置ＭＮの要求無線リソース量とを含んだ、図３８に示す形式のハンドオーバ実行要請メッセージを送る（図３０のメッセージ３００４）。更に、無線基地局ＡＲ−１３に対して、ステップ５において確保した無線リソースを開放するために、開放する無線チャネル情報を含んだ、図４０に示す形式のリソース開放要求メッセージを送信する（図３０のメッセージ３００５）。
【０１５５】
無線基地局ＡＲ−１３の無線チャネル管理部２４５０は、リソース開放要求メッセージ３００５を受信すると、指定された無線チャネルを開放する（図３０の手続き３０１５）。
【０１５６】
（ステップ１０）  無線基地局ＡＲ−１１のハンドオーバ処理部は、図６として示した手順を用いて、移動端末装置ＭＮに対して、移動先無線基地局ＡＲ−１２との通信で用いる無線チャネルとＩＰアドレスに関する情報を通知する（図３０の手続Ｐ７０４）。
【０１５７】
これまでに説明した、第１〜第１２の実施例において、移動端末装置ＭＮは、無線基地局の送信するビーコン信号を漏らさず検知するために、移動端末装置ＭＮが対応している全ての無線周波数やスクランブルコードを全て走査する必要がある。
【０１５８】
これは、移動端末装置ＭＮの位置では電波が到達していない無線基地局に対する走査まで実行することになるため、移動端末装置ＭＮは、周辺無線基地局探索または監視のために無用な処理時間を消費し、また無用な電力消費を負うことになる。
【０１５９】
移動端末装置に対して、走査または監視する無線システムの情報（無線周波数またはスクランブルコード）を予め通知することで、これらの無用な処理時間や電力消費を抑制することが可能となる。
【０１６０】
図４３に、このような場合における無線通信システム全体の構成例を示したものである。図４３の無線通信システムは、移動端末装置ＭＮ、無線基地局ＡＲ−２１，ＡＲ−２２，ＡＲ−２３、無線伝送路、有線網から成る。無線基地局ＡＲ−２１，ＡＲ−２２，ＡＲ２３の構成は、図２として示すものと同様である。移動端末装置ＭＮの構成は、図３として示すものと同様である。
【０１６１】
無線基地局ＡＲ−２１，ＡＲ−２２，ＡＲ−２３はそれぞれ、互いに異なる周波数ｆ１，ｆ２，ｆ３のビーコン信号を定期的に送信している。移動端末装置ＭＮは、無線基地局ＡＲ−２１と無線伝送路を介して接続している。また、移動端末装置ＭＮは、無線基地局ＡＲ−２１とＡＲ−２２からのビーコン信号は検出できるが、無線基地局ＡＲ−２３からのビーコン信号は検出できない位置にある。つまり、無線基地局ＡＲ−２１とＡＲ−２２は互いに隣接関係にあるが、無線基地局ＡＲ−２１とＡＲ−２３は隣接関係になっていない。
【実施例１３】
【０１６２】
図２と図３と図３２と図３３と図３４と図３９と図４２と図４４を用いて、本発明の第１３の実施例の手順を説明する。提示する実施例では、２種類の無線周波数に対応した移動端末装置を挙げているが、これは２種類に限定するものではなく、また異なる無線通信方式を装備する場合にも適用可能である。
【０１６３】
（ステップ１）  移動端末装置ＭＮの受信状態監視部３１１は、現在接続している無線基地局ＡＲ−２１が定期的に送信する周波数ｆ１のビーコン信号のみを受信し、受信状態を監視する（図４４の手続き４４１１，４４１２）。周波数ｆ２で送信されている、無線基地局ＡＲ−２２からのビーコン信号は無視する。
【０１６４】
（ステップ２）  無線基地局ＡＲ−２１の移動先無線基地局判定部２６０は、隣接する無線基地局の無線基地局情報を含んだ、図４２に示す形式の周辺無線基地局情報交換メッセージを移動端末装置ＭＮに向けて定期的に送信する（図４４のメッセージ４４０１）。周辺無線基地局情報交換メッセージには、無線基地局ＡＲ−２１およびＡＲ−２２の識別子と、それぞれの無線基地局が送信するビーコン信号の周波数ｆ１およびｆ２が格納されている。
【０１６５】
（ステップ３）  移動端末装置ＭＮの受信状態監視部３１１は、受信した周辺無線基地局情報交換メッセージにより通知された無線基地局ＡＲ−２２の送信する周波数ｆ２のビーコン信号も受信するように設定を変更する（図４４の手続き４４１３）。
【０１６６】
（ステップ４）  以降、移動端末装置ＭＮの受信状態監視部３１１は、無線基地局ＡＲ−２１が定期的に送信する周波数ｆ１のビーコン信号と無線基地局ＡＲ−２２が定期的に送信する周波数ｆ２のビーコン信号の受信状態を監視する（図４４の手続き４４１４，４４１５，４４１６）。以降は、例えば図１２に示した本発明の第１の実施例と同様の手続きによって、ハンドオーバの処理を完了させる。
【実施例１４】
【０１６７】
他の無線システムの構成として、図４５に示す構成例もある。図４５の無線通信システムは、移動端末装置ＭＮ、無線基地局ＡＲ−３１，ＡＲ−３２，ＡＲ−３３、無線リソース管理装置RRMS、無線伝送路、有線網から成る。無線基地局ＡＲ−３１，ＡＲ−３２，ＡＲ−３３の構成は、図２４として示すものと同様である。移動端末装置ＭＮの構成は、図３として示すものと同様である。無線リソース管理装置ＲＲＭＳの構成は、図２３として示すものと同様である。無線基地局ＡＲ−３１，ＡＲ−３２，ＡＲ−３３は、図４３に示す無線通信システムの場合と同様に、それぞれ異なる周波数ｆ１，ｆ２，ｆ３のビーコン信号を定期的に送信している。移動端末装置ＭＮは、無線基地局ＡＲ−３１と無線伝送路を介して接続している。
【０１６８】
また、移動端末装置ＭＮは、無線基地局ＡＲ−３１とＡＲ−３２からのビーコン信号は検出できるが、無線基地局ＡＲ−３３からのビーコン信号は検出できない位置にある。つまり、無線基地局ＡＲ−３１とＡＲ−３２は互いに隣接関係にあるが、無線基地局ＡＲ−３１とＡＲ−３３は隣接関係になっていない。
【０１６９】
図３と図２３と図２４と図４２と図４６を用いて、本発明の第１４の実施例の手順を説明する。提示する実施例では、２種類の無線周波数に対応した移動端末装置を挙げているが、これは２種類に限定するものではなく、また異なる無線通信方式を装備する場合にも適用可能である。
【０１７０】
（ステップ１）  移動端末装置ＭＮの受信状態監視部３１１は、現在接続している無線基地局ＡＲ−３１が定期的に送信する周波数ｆ１のビーコン信号のみを受信し、受信状態を監視する（図４６の手続き４６１１，４６１２）。周波数ｆ２で送信されている、無線基地局ＡＲ−３２からのビーコン信号は無視する。
【０１７１】
（ステップ２）  無線リソース管理装置ＲＲＭＳの移動先無線基地局判定部２３４０は、隣接する無線基地局の無線基地局情報を含んだ、図４２に示す形式の周辺無線基地局情報交換メッセージを移動端末装置ＭＮに向けて定期的に送信する（図４６のメッセージ４６０１）。周辺無線基地局情報交換メッセージには、無線基地局ＡＲ−３１およびＡＲ−３２の識別子と、それぞれの無線基地局が送信するビーコン信号の周波数ｆ１およびｆ２が格納されている。
【０１７２】
（ステップ３）  移動端末装置ＭＮの受信状態監視部３１１は、受信した周辺無線基地局情報交換メッセージにより通知された無線基地局ＡＲ−３２の送信する周波数ｆ２のビーコン信号も受信するように設定を変更する（図４６の手続き４６１３）。
【０１７３】
（ステップ４）  以降、移動端末装置ＭＮの受信状態監視部３１１は、無線基地局ＡＲ−３１が定期的に送信する周波数ｆ１のビーコン信号と無線基地局ＡＲ−３２が定期的に送信する周波数ｆ２のビーコン信号の受信状態を監視する（図４６の手続き４６１４，４６１５，４６１６）。以降は、例えば図２９に示した本発明第１１の実施例と同様の手続きによって、ハンドオーバの処理を完了させる。
【０１７４】
以上述べた基地局や移動端末装置、更には無線リソース管理装置等における各動作は、予めプログラムとして動作手順をＲＯＭ等の記録媒体に格納しておき、これをコンピュータであるＣＰＵにより読取らせて実行するよう構成されるものであることは勿論である。
【図面の簡単な説明】
【０１７５】
【図１】本発明の第１〜第９の各実施例における無線通信システム全体のブロックを示す図である。
【図２】本発明の第１〜第７の各実施例における無線基地局の構成例を示す図である。
【図３】本発明の第１〜第１１の各実施例における移動端末装置の構成例を示す図である。
【図４】本発明の第１〜第７の各実施例におけるハンドオーバ手続き全体の概要を示した図である。
【図５】図４のリソース情報交換手続きについての詳細な手順の第１の形態を示した図である。
【図６】図４のリソース情報交換手続きについての詳細な手順の第２の形態を示した図である。
【図７】本発明における無線リソース情報要求メッセージのパケット形式を示した図である。
【図８】本発明における無線リソース情報報告メッセージのパケット形式を示した図である。
【図９】本発明における無線リソース情報報告メッセージのパケットに含まれる無線リソース情報の詳細な内容を示した図である。
【図１０】本発明の第１〜第９の各実施例における無線リソース確保手続きについての詳細な手順を示した図である。
【図１１】本発明の第１〜第９の各実施例におけるハンドオーバ移動先通知手続きについての詳細な手順を示した図である。
【図１２】本発明の第１の実施例におけるハンドオーバ手続きについての詳細な手順を示した図である。
【図１３】本発明の第２の実施例におけるハンドオーバ手続きについての詳細な手順を示したも図である。
【図１４】本発明の第３の実施例におけるハンドオーバ手続きについての詳細な手順を示した図である。
【図１５】本発明の第４の実施例におけるハンドオーバ手続きについての詳細な手順を示した図である。
【図１６】本発明の第５の実施例におけるハンドオーバ手続きについての詳細な手順を示した図である。
【図１７】本発明の第６の実施例におけるハンドオーバ手続きについての詳細な手順を示した図である。
【図１８】本発明の第７の実施例におけるハンドオーバ手続きについての詳細な手順を示した図である。
【図１９】本発明の第８、第９の各実施例における無線基地局の構成例を示した図である。
【図２０】本発明の第８の実施例におけるハンドオーバ手続きについての詳細な手順を示した図である。
【図２１】本発明の第９の実施例におけるハンドオーバ手続きについての詳細な手順を示した図である。
【図２２】本発明の第１０、第１１の各実施例における無線通信システム全体のブロック構成例を示す図である。
【図２３】本発明の第１０、第１１の各実施例における無線リソース管理装置の構成例を示す図である。
【図２４】本発明の第１０、第１１の各実施例における無線基地局の構成例を示す図である。
【図２５】本発明の第１０、第１１の各実施例におけるハンドオーバ手続き全体の概要を示した図である。
【図２６】本発明の第１０、第１１の各実施例における無線リソース情報報告手続きの詳細な手順の第１の形態を示した図である。
【図２７】本発明の第１０、第１１の各実施例における無線リソース情報報告手続きの詳細な手順の第２の形態を示した図である。
【図２８】本発明の第１０の実施例におけるハンドオーバ手続きについて、移動端末装置ＭＮがハンドオーバを決定する場合における詳細な手順を示した図である。
【図２９】本発明の第１１の実施例におけるハンドオーバ手続きについての詳細な手順を示した図である。
【図３０】本発明の第１２の実施例におけるハンドオーバ手続きについての詳細な手順を示した図である。
【図３１】本発明の第１０の実施例におけるハンドオーバ手続きについて、移動端末装置ＭＮと無線リソース管理装置RRMSが直接通信できない場合の手順を示した図である。
【図３２】本発明における検出無線基地局通知メッセージのパケット形式を示した図である。
【図３３】本発明における移動先候補無線基地局通知メッセージのパケット形式を示した図である。
【図３４】本発明における移動先無線基地局要請メッセージのパケット形式を示した図である。
【図３５】本発明における移動先無線基地局広告メッセージのパケット形式を示した図である。
【図３６】本発明におけるリソース確保要求メッセージのパケット形式を示した図である。
【図３７】本発明におけるリソース確保応答メッセージのパケット形式を示した図である。
【図３８】本発明におけるハンドオーバ実行要請メッセージのパケット形式を示した図である。
【図３９】図３２、図３４〜図３８の移動端末装置上の通信セッションが必要とする無線リソース量のフィールドに含まれる具体的な項目を詳細に示した図である。
【図４０】本発明におけるリソース開放要求メッセージのパケット形式を示した図である。
【図４１】本発明の第１〜第４の各実施例におけるＦＭＩＰパケット転送手続きについての詳細な手順を示した図である。
【図４２】本発明における周辺無線基地局情報広告メッセージのパケット形式を示した図である
【図４３】本発明の第１３の実施例における無線通信システム全体のブロック構成例を示す図である。
【図４４】本発明の第１３の実施例におけるハンドオーバ手続きの詳細な手順を示した図である。
【図４５】本発明の第１４の実施例における無線通信システム全体のブロック構成例を示す図である。
【図４６】本発明の第１４の実施例におけるハンドオーバ手続きの詳細な手順を示した図である。
【符号の説明】
【０１７６】
１１０  移動端末装置
１２１〜１２３  無線基地局
１３１、１３２  無線伝送路
１４０  有線網
２１０、１９１０、２４１０  無線基地局の第１の送受信部
２１１、１９１１、２４１１  無線基地局の第１の送受信部の受信状態監視部  ２２０、１９２０、２４２０  無線基地局の第２の送受信部
２３０、１９３０、２４３０  無線基地局のハンドオーバ処理部
２４０  無線基地局の無線基地局リソース情報記憶部
２５０、１９５０、２４５０  無線基地局の無線チャネル管理部
２６０、１９６０  無線基地局の移動先無線基地局判定部
３１０  移動端末装置の送受信部
３１１  移動端末装置の送受信部の受信状態監視部
３２０  移動端末装置のハンドオーバ処理部
３３０  移動端末装置の移動先無線基地局判定部
３４０  移動端末装置の無線チャネル管理部
【図１】
2005094806.tif 000003
【図２】
2005094806.tif 000004
【図３】
2005094806.tif 000005
【図４】
2005094806.tif 000006
【図５】
2005094806.tif 000007
【図６】
2005094806.tif 000008
【図７】
2005094806.tif 000009
【図８】
2005094806.tif 000010
【図９】
2005094806.tif 000011
【図１０】
2005094806.tif 000012
【図１１】
2005094806.tif 000013
【図１２】
2005094806.tif 000014
【図１３】
2005094806.tif 000015
【図１４】
2005094806.tif 000016
【図１５】
2005094806.tif 000017
【図１６】
2005094806.tif 000018
【図１７】
2005094806.tif 000019
【図１８】
2005094806.tif 000020
【図１９】
2005094806.tif 000021
【図２０】
2005094806.tif 000022
【図２１】
2005094806.tif 000023
【図２２】
2005094806.tif 000024
【図２３】
2005094806.tif 000025
【図２４】
2005094806.tif 000026
【図２５】
2005094806.tif 000027
【図２６】
2005094806.tif 000028
【図２７】
2005094806.tif 000029
【図２８】
2005094806.tif 000030
【図２９】
2005094806.tif 000031
【図３０】
2005094806.tif 000032
【図３１】
2005094806.tif 000033
【図３２】
2005094806.tif 000034
【図３３】
2005094806.tif 000035
【図３４】
2005094806.tif 000036
【図３５】
2005094806.tif 000037
【図３６】
2005094806.tif 000038
【図３７】
2005094806.tif 000039
【図３８】
2005094806.tif 000040
【図３９】
2005094806.tif 000041
【図４０】
2005094806.tif 000042
【図４１】
2005094806.tif 000043
【図４２】
2005094806.tif 000044
【図４３】
2005094806.tif 000045
【図４４】
2005094806.tif 000046
【図４５】
2005094806.tif 000047
【図４６】
2005094806.tif 000048